(57)【要約】      （修正有）【課題】電池ボックスを収用した本体を有し、簡単かつ容易に製造可能な電子血圧計を提供する。【解決手段】本体をなす樹脂製ハウジング１１の底板が、実質的に電池ボックス７１のサイズに対応してくり抜かれている（くり抜き１１ｏ）。ハウジング１１の内部から底板に対して、電池ボックス７１をなすように電池端子５３Ａ，５３Ｂ，５３Ｃ，５３Ｄ，５３Ｅを搭載した樹脂成形部材７０が取り付けられている。【選択図】図１７
0003184624.tif 000002
【実用新案登録請求の範囲】
【請求項１】
電池ボックスを収用した本体を有する電子血圧計であって、
上記本体をなす樹脂製ハウジングの底板が、実質的に上記電池ボックスのサイズに対応してくり抜かれ、
上記ハウジングの内部から上記底板に対して、上記電池ボックスをなすように電池端子を搭載した樹脂成形部材が取り付けられている電子血圧計。
【請求項２】
請求項１に記載の電子血圧計において、
上記樹脂成形部材に、被測定部位を圧迫するためのカフに流体を供給するためのポンプと、このポンプを駆動する制御基板とが少なくとも搭載されていることを特徴とする電子血圧計。
【請求項３】
請求項２に記載の電子血圧計において、
上記樹脂成形部材は一方向に突出した１本以上のピン部を有し、
上記制御基板は、上記ピン部を通す貫通孔を有し、上記ピン部の先端を熱溶融した熱かしめによって上記樹脂成形部材に取り付けられていることを特徴とする電子血圧計。
【請求項４】
請求項３に記載の電子血圧計において、
上記ピン部は、このピン部の中心に沿って延び、上記先端に達する孔を有することを特徴とする電子血圧計。
【請求項５】
請求項２から４までのいずれか一つに記載の電子血圧計において、
上記樹脂成形部材に対して、上記ポンプと、上記カフの圧力を調節するための弁とが一方向に端子を突出した状態で取り付けられるとともに、
上記樹脂成形部材に対して、上記電池ボックスに収容される電池からの電力を上記ポンプおよび上記弁へ供給するためのジョイント基板が、上記一方向に対して垂直な姿勢で上記一方向から取り付けられていることを特徴とする電子血圧計。
【請求項６】
請求項１から５までのいずれか一つに記載の電子血圧計において、
上記ハウジングは、上記底板の内面から立ち上がり、かつ上記内面に沿う向きに曲がった形状をもつ係合爪と、上記底板の内面上で上記係合爪の受け部に対向して設けられたスロープ部とを有し、
上記樹脂成形部材は、上記底板に対向する側に、上記係合爪の受け部に嵌められる第１の突起部と、上記第１の突起部が上記係合爪の受け部に嵌められたとき上記スロープ部に係合して、上記第１の突起部が上記係合爪の受け部から離脱するのを止める第２の突起部とを有することを特徴とする電子血圧計。
【請求項７】
請求項６に記載の電子血圧計において、
上記樹脂成形部材は、上記第２の突起部の上方に相当する部位に摘まみ部を有し、この摘まみ部が上方へ引っ張られたとき、上記第２の突起部が上記スロープ部を乗り越えて、上記第１の突起部が上記係合爪の受け部から離脱するのが許容されることを特徴とする電子血圧計。
【請求項８】
請求項１から７までのいずれか一つに記載の電子血圧計において、
上記ハウジングをなす樹脂と、上記樹脂成形部材をなす樹脂とは、互いに異なる材料からなることを特徴とする電子血圧計。
【考案の詳細な説明】
【技術分野】
【０００１】
この考案は電子血圧計に関し、より詳しくは、電池ボックスを収用した本体を有する電子血圧計に関する。
【背景技術】
【０００２】
普及型の電子血圧計としては、例えば非特許文献１に開示されているように、電子部品を内蔵した本体に、電池ボックス（電池ケースまたは電池ホルダとも呼ばれる。）が内側へ向かって窪んだ態様で一体に成型されているものが多い。電池ボックスは、電池を収容した状態で電池カバーで覆われる。
【先行技術文献】
【非特許文献】
【０００３】
【非特許文献１】パグロクス○●エージェンシィ（pagloCs ○● agenCy）、“家電製品ミニレビュー  パナソニック「上腕血圧計 EW-BU75」〜測定値をUSBでパソコンに転送、グラフ化できる血圧計”、［online］、平成２３年７月１２日、［平成２５年４月２日検索］、インターネット＜ URL ：http://pcgn.blog98.fc2.com/blog-entry-1201.html＞
【考案の概要】
【考案が解決しようとする課題】
【０００４】
ところで、電池ボックスには、電池の＋極、−極に接触するための金属端子（これを「電池端子」と呼ぶ。）が装備される。電池ボックスは、それらの金属端子が嵌め込まれ得るように、本体のうち他の部分に比して薄肉で複雑な形状に成型される。そのため、電池ボックスをなす部分に成型不良が生じ易い。この結果、金型製作や成型条件の調整に時間を要するという問題が生ずる。また、成型時の樹脂流動面でも問題が生じ、本体の外観に悪影響が生ずることもある。
【０００５】
そこで、この考案の課題は、電池ボックスを収用した本体を有する電子血圧計であって、簡単かつ容易に製造可能なものを提供することにある。
【課題を解決するための手段】
【０００６】
上記課題を解決するため、この考案の電子血圧計は、
電池ボックスを収用した本体を有する電子血圧計であって、
上記本体をなす樹脂製ハウジングの底板が、実質的に上記電池ボックスのサイズに対応してくり抜かれ、
上記ハウジングの内部から上記底板に対して、上記電池ボックスをなすように電池端子を搭載した樹脂成形部材が取り付けられている。
【０００７】
この考案の電子血圧計では、上記本体をなす樹脂製ハウジングの底板が、実質的に上記電池ボックスのサイズに対応してくり抜かれている。そして、上記ハウジングの内部から上記底板に対して、上記電池ボックスをなすように電池端子を搭載した樹脂成形部材が取り付けられている。つまり、上記ハウジングに対して上記樹脂成形部材が別体になっている。したがって、上記ハウジングと上記樹脂成形部材とは、互いに別の金型を用いて別々に成型され得る。この結果、上記ハウジングと上記樹脂成形部材それぞれの金型製作や成型条件の調整が簡単になる。また、成型時の樹脂流動面の問題も容易に回避される。これにより、この電子血圧計は、簡単かつ容易に製造可能となる。
【０００８】
一実施形態の電子血圧計では、上記樹脂成形部材に、被測定部位を圧迫するためのカフに流体を供給するためのポンプと、このポンプを駆動する制御基板とが少なくとも搭載されていることを特徴とする。
【０００９】
この一実施形態の電子血圧計では、上記樹脂成形部材に、被測定部位を圧迫するためのカフに流体を供給するためのポンプと、このポンプを駆動する制御基板とが少なくとも搭載されている。したがって、上記ハウジング自体に対する部品の取付回数が低減され、組立作業が容易になる。
【００１０】
一実施形態の電子血圧計では、
上記樹脂成形部材は一方向に突出した１本以上のピン部を有し、
上記制御基板は、上記ピン部を通す貫通孔を有し、上記ピン部の先端を熱溶融した熱かしめによって上記樹脂成形部材に取り付けられていることを特徴とする。
【００１１】
この一実施形態の電子血圧計では、上記樹脂成形部材は一方向に突出した１本以上のピ
ン部を有する。そして、上記制御基板は、上記ピン部を通す貫通孔を有し、上記ピン部の先端を熱溶融した熱かしめによって上記樹脂成形部材に取り付けられている。つまり、上記制御基板は、ねじなどの別途の部材を用いることなく、上記樹脂成形部材に取り付けられている。したがって、この電子血圧計は、低コストで製造され得る。また、熱かしめとすることによって組立を自動化し易くなる。
【００１２】
また、上記ピン部は、このピン部の中心に沿って延び、上記先端（熱溶融された頭部）に達する孔を有するのが望ましい。そのようにした場合、この電子血圧計の組立中や販売後に上記制御基板の不具合が生じたとき、上記制御基板を交換する作業が容易になる。すなわち、上記制御基板を交換する場合、まず、上記ピン部の熱溶融された頭部をニッパなどで切断して除去する。すると、上記ピン部の孔が外から見える状態になる。次に、不具合のある制御基板に代えて、上記樹脂成形部材上に新たな制御基板を置く。そして、上記制御基板の上方（上記樹脂成形部材とは反対の側）から、別途用意したねじを用いて、そのねじが上記ピン部の孔にねじ込まれる態様で、上記樹脂成形部材上にその新たな制御基板を取り付ける。このように、基板交換の必要性が生じた際に、上記ピン部をねじ締結用のボスとして再利用できる。したがって、上記制御基板を交換する作業を容易に行うことができる。
【００１３】
一実施形態の電子血圧計では、
上記樹脂成形部材に対して、上記ポンプと、上記カフの圧力を調節するための弁とが一方向に端子を突出した状態で取り付けられるとともに、
上記樹脂成形部材に対して、上記電池ボックスに収容される電池からの電力を上記ポンプおよび上記弁へ供給するためのジョイント基板が、上記一方向に対して垂直な姿勢で上記一方向から取り付けられていることを特徴とする。
【００１４】
この一実施形態の電子血圧計では、上記樹脂成形部材に上記ポンプと上記弁とが一方向に端子を突出した状態で取り付けられ、上記ジョイント基板が上記一方向に対して垂直な姿勢で上記一方向から取り付けられている。したがって、さらに組立作業が容易になる。また、上記ジョイント基板が、上記電池ボックスに収容される電池からの電力を上記ポンプおよび上記弁へ供給するので、別途のジャンパー線を用いて上記ポンプおよび上記弁と上記電池とをそれぞれ接続する必要が無い。したがって、さらに組立作業が容易になる。
【００１５】
一実施形態の電子血圧計では、
上記ハウジングは、上記底板の内面から立ち上がり、かつ上記内面に沿う向きに曲がった形状をもつ係合爪と、上記底板の内面上で上記係合爪の受け部に対向して設けられたスロープ部とを有し、
上記樹脂成形部材は、上記底板に対向する側に、上記係合爪の受け部に嵌められる第１の突起部と、上記第１の突起部が上記係合爪の受け部に嵌められたとき上記スロープ部に係合して、上記第１の突起部が上記係合爪の受け部から離脱するのを止める第２の突起部とを有することを特徴とする。
【００１６】
この一実施形態の電子血圧計では、上記樹脂成形部材は、上記ハウジングに対して、上記第１の突起部が上記係合爪の受け部に嵌められ、かつ上記第２の突起部が上記スロープ部に係合して、上記第１の突起部が上記係合爪の受け部から離脱するのを止めることによって取り付けられている。したがって、この電子血圧計は、ねじなどの別途の部材を用いて上記樹脂成形部材を上記ハウジングに対して取り付ける場合に比して、簡単かつ低コストで組み立てられ得る。
【００１７】
一実施形態の電子血圧計では、上記樹脂成形部材は、上記第２の突起部の上方に相当する部位に摘まみ部を有し、この摘まみ部が上方へ引っ張られたとき、上記第２の突起部が上記スロープ部を乗り越えて、上記第１の突起部が上記係合爪の受け部から離脱するのが許容されることを特徴とする。
【００１８】
この一実施形態の電子血圧計では、上記樹脂成形部材は、上記第２の突起部の上方に相当する部位に摘まみ部を有し、この摘まみ部が上方へ引っ張られたとき、上記第２の突起部が上記スロープ部を乗り越えて、上記第１の突起部が上記係合爪の受け部から離脱するのが許容される。したがって、この電子血圧計の組立中や販売後に上記樹脂成形部材やそれに搭載された部品に不具合が生じたとき、上記樹脂成形部材やそれに搭載された部品を交換する作業が容易になる。
【００１９】
一実施形態の電子血圧計では、上記ハウジングをなす樹脂と、上記樹脂成形部材をなす樹脂とは、互いに異なる材料からなることを特徴とする。
【００２０】
この一実施形態の電子血圧計では、外観のハウジングをなす樹脂と、上記樹脂成形部材をなす樹脂とは、互いに異なる材料からなる。したがって、上記ハウジングをなす樹脂に比して、上記樹脂成形部材をなす樹脂としてグレードの低い材料を用いて、低コスト化を図ることができる。また、外観のハウジングに塗装やコーティングを施すような場合、上記電池ボックスには塗装やコーティングは不要となる。したがって、上記樹脂成形部材を切り出して成型すると都合が良い。特に、上記樹脂成形部材は、上記電池端子を取り付けるための薄肉部を含む複雑な構造を有する。このため、仮に上記樹脂成形部材に塗装を施すものとすると、上記電池端子を取り付けるための薄肉部（電池端子挿入部）が塗装材で埋まらないように、マスキングを施さなければならず、不便な作業を強いられるからである。
【考案の効果】
【００２１】
以上より明らかなように、この考案の電子血圧計は、簡単かつ容易に製造され得る。また、品質向上にも寄与する。
【図面の簡単な説明】
【００２２】
【図１】この考案の一実施形態の電子血圧計が有する制御系のブロック構成を示す図である。
【図２】上記電子血圧計が内蔵する樹脂成形部材としてのモジュールベースを示す斜視図である。
【図３】上記モジュールベースに電池端子を取り付ける工程を説明する図である。
【図４】上記モジュールベースにポンプを取り付ける工程を説明する図である。
【図５】上記モジュールベースに弁を取り付ける工程を説明する図である。
【図６】上記モジュールベースにジョイントチューブを取り付ける工程を説明する図である。
【図７】上記モジュールベースにジョイント基板を取り付ける工程を説明する図である。
【図８】上記モジュールベースに制御基板としてのメイン基板を嵌め込む工程を説明する図である。
【図９】上記モジュールベースに上記メイン基板を熱かしめして取り付ける工程を説明する図である。
【図１０】上記ジョイント基板と上記メイン基板とを半田付けにより電気的に接続する工程を説明する図である。
【図１１】上記モジュールベースに主要部品を取り付けてなるモジュールをグランドハウジングに組み入れる工程を説明する図である。
【図１２】上記グランドハウジングに操作基板を取り付ける工程を説明する図である。
【図１３】上記グランドハウジングにＬＣＤホルダを取り付ける工程を説明する図である。
【図１４】上記ＬＣＤホルダに表示器を取り付ける工程を説明する図である。
【図１５】上記電子血圧計の完成状態の外観を示す斜視図である。
【図１６】組立前のグランドハウジングを下方から見たところを示す図である。
【図１７】上記グランドハウジングに上記モジュールを組み入れた状態で、上記グランドハウジングを下方から見たところを示す図である。
【図１８】完成状態でグランドハウジングを下方から見たところを示す図である。
【図１９】図１９（ａ）、図１９（ｂ）は、上記グランドハウジングに上記モジュールを取り付ける仕方を説明する図である。
【考案を実施するための形態】
【００２３】
以下、この考案の実施の形態を、図面を参照しながら詳細に説明する。
【００２４】
図１５は、この考案の一実施形態の電子血圧計（全体を符号１で示す。以下、単に「血圧計」という）の本体１０の外観を示している。また、図１は、血圧計１の制御系のブロック構成を、本体１０に接続されるべき血圧測定用カフ２０を含めて示している。
【００２５】
図１５に示すように、この血圧計１の本体１０は、本体１０の筐体下部をなす器状のグランドハウジング１１と、筐体上部をなす平板状のフロントハウジング１２とを備えている。フロントハウジング１２は、グランドハウジング１１の上縁１１ａに沿って斜めに傾斜して配置されている。グランドハウジング１１とフロントハウジング１２とは、この例ではＡＢＳ（アクリロニトリルブタジエンスチレン共重合体）樹脂からなっている。
【００２６】
フロントハウジング１２には、表示部５０Ａと、操作部５２とが設けられている。操作部５２は、この例では、電源スイッチ５２Ａと、時計表示スイッチ５２Ｂと、メモリスイッチ５２Ｃと、進む／戻るスイッチ５２Ｄとを含んでいる。
【００２７】
グランドハウジング１１には、血圧測定用カフ２０が接続されるべきエアコネクタ３８が設けられている。
【００２８】
図１に示すように、この血圧計１の本体１０には、制御部としてのＣＰＵ（Central Processing Unit）１００、上述の表示部５０Ａの実体をなす表示器５０、操作部５２に加えて、記憶部としてのメモリ５１、電源部５３、ポンプ３２、弁（電磁式コントロール弁）３３、および圧力センサ３１が搭載されている。また、本体１０には、圧力センサ３１からの出力を周波数に変換する発振回路３１０、ポンプ３２を駆動するポンプ駆動回路３２０、弁３３を駆動する弁駆動回路３３０が搭載されている。ポンプ３２、弁３３、および圧力センサ３１は、ジョイントチューブ３７、カフ用エアチューブ３９、エアコネクタ３８を介して、血圧測定用カフ２０（流体袋２２を内包する。）に接続されている。
【００２９】
上記表示器５０は、この例ではＬＣＤ（液晶表示素子）からなり、ＣＰＵ１００からの制御信号に従って所定の情報を表示する。
【００３０】
上記操作部５２では、電源スイッチ５２Ａは、電源部５３をオンオフする指示および血圧の測定開始の指示を受け付ける。時計表示スイッチ５２Ｂは、表示器５０に時間を表示させる指示を受け付ける。メモリスイッチ５２Ｃは、メモリ５１に記憶された血圧値の測定結果のデータを表示器５０に表示させるための指示を受け付ける。進む／戻るスイッチ５２Ｄは、表示器５０に表示内容を過去に遡らせ又は進ませるなどの変更の指示を受け付ける。操作部５２は、ユーザによる指示に応じた操作信号を後述のＣＰＵ１００に入力する。
【００３１】
上記メモリ５１は、血圧計１を制御するためのプログラムのデータ、血圧計１を制御するために用いられるデータ、血圧計１の各種機能を設定するための設定データ、および血圧値の測定結果のデータなどを記憶する。また、メモリ５１は、プログラムが実行されるときのワークメモリなどとして用いられる。
【００３２】
上記ＣＰＵ１００は、メモリ５１に記憶された血圧計１を制御するためのプログラムに従って、操作部５１からの操作信号に応じて、ポンプ３２や弁３３を駆動する制御を行う。また、ＣＰＵ１００は、圧力センサ３１からの信号に基づいて、血圧値を算出し、表示器５０およびメモリ５１を制御する。
【００３３】
上記電源部５３は、電池を含み、ＣＰＵ１００、圧力センサ３１、ポンプ３２、弁３３、表示器５０、メモリ５１、発振回路３１０、ポンプ駆動回路３２０、および弁駆動回路３３０の各部に電力を供給する。
【００３４】
上記ポンプ３２は、カフ２０に内包された流体袋２２内の圧力（カフ圧）を加圧するために、流体袋２２に空気を供給する。弁３３は、流体袋２２の空気を排出し、または封入してカフ圧を制御するために開閉される。ポンプ駆動回路３２０は、ポンプ３２をＣＰＵ１００から与えられる制御信号に基づいて駆動する。弁駆動回路３３０は、弁３３をＣＰＵ１００から与えられる制御信号に基づいて開閉する。
【００３５】
上記圧力センサ３１と発振回路３１０は、カフの圧力を検出する圧力検出部として働く。圧力センサ３１は、例えばピエゾ抵抗式圧力センサからなる。この例では、発振回路３１０は、圧力センサ３１からのピエゾ抵抗効果による電気抵抗の変化に基づく電気信号値に基づき発振して、圧力センサ３１の電気信号値に応じた周波数を有する周波数信号をＣＰＵ１００に出力する。
【００３６】
この血圧計１では、ＣＰＵ１００によって、一般的なオシロメトリック法により被験者の血圧値が測定される。オシロメトリック法に従って血圧を測定する場合、次のような動作が行われる。すなわち、予め被験者の被測定部位（腕など）にカフ２０を巻き付けておく。測定時には、ポンプ・弁を制御して、カフ圧を最高血圧より高く加圧し、その後徐々に減圧していく。この減圧する過程において、カフ圧を圧力センサ３１で検出し、被測定部位の動脈で発生する動脈容積の変動を脈波信号として取り出す。ＣＰＵ１００は、その時のカフ圧の変化に伴う脈波信号の振幅の変化（主に立ち上がりと立ち下がり）に基づいて、公知の手法により、最高血圧（収縮期血圧：Systolic Blood Pressure）と最低血圧（拡張期血圧：Diastolic Blood Pressure）とを算出する。
【００３７】
以下、この血圧計１の本体１０の構造とともに組立工程を説明する。なお、以下の説明で用いる図２から図１９には、理解の容易のために、グランドハウジング１１の底板１１ｂに沿った面をＸＹ平面とし、本体１０の高さ方向をＺ方向する座標軸が付されている。
【００３８】
図１６は、グランドハウジング１１を下方から見たところを示している。グランドハウジング１１の底板１１ｂは、実質的に後述の電池ボックス７１のサイズに対応した略矩形のくり抜き１１ｏを有している。このくり抜き１１ｏは、完成状態では、電池ボックスをなすように内部から後述のモジュールによって塞がれ、外部から後述の電池カバーによって覆われる。１１ｉ，１１ｊ，１１ｋは、電池カバーの爪が係合されるべき凹部を示している。また、１１ｅ，１１ｆ，１１ｇ，１１ｈは、次に述べるモジュールベース７０を係合するための係合爪を示している。
【００３９】
図２は、血圧計１が内蔵する樹脂成形部材としてのモジュールベース７０を斜め上方から見たところ示している。このモジュールベース７０は、図２において手前側（−Ｙ側）に、電池ボックス７１をなすように下から上方へ向かって窪んだ凹部７１ｕと、この凹部７１ｕの周りに設けられた電池端子用の溝７１ａ，７１ｂ，７１ｃ，７１ｄ，７１ｅとを有している。また、このモジュールベース７０は、電池ボックス７１に対して奥側（＋Ｙ側）に、Ｘ軸に平行な中心軸７２ｏの周りに円弧状に交互に配置されたポンプホルダ部７２ａ，７２ｂ，７２ｃを有している。また、このモジュールベース７０は、電池ボックス７１の上方に相当する位置に、既述の弁３３が取り付けられるべきボックス部７３を有している。さらに、このモジュールベース７０は、後述のジョイント基板の位置決めのための十字リブ７４ａ，７４ｂと、後述のメイン基板の位置決め、取り付けのための十字リブ７５ａおよび円筒状のボス７５ｂとを有している。
【００４０】
このモジュールベース７０をなす樹脂は、グランドハウジング１１をなす樹脂とは異なる材料、この例では、よりグレードの低い材料からなっている。これにより、低コスト化を図ることができる。なお、モジュールベース７０は、血圧計１の完成状態では本体１０に内蔵されて外からは見えない。したがって、グレードの低い材料であっても、見栄えの支障などは生じない。
【００４１】
まず、このモジュールベース７０の凹部７１ｕの周りの溝７１ａ，７１ｂ，７１ｃ，７１ｄ，７１ｅに、それぞれ図３中に示すような電池端子５３Ａ，５３Ｂ，５３Ｃ，５３Ｄ，５３Ｅが取り付けられる（電池端子取付工程）。この例では、電池端子５３Ａ，５３Ｂ，５３Ｃ，５３Ｄ，５３Ｅによって、図示しない４つの乾電池（１．５Ｖ×４）が直列に接続されることが予定されている。この電池端子取付工程により、直列の両端の電池端子５３Ａ，５３Ｅは、図４中に示すように、溝７１ａ，７１ｅの外側に＋Ｘ方向に突出した状態になる。
【００４２】
次に、図４中に示すように、ポンプホルダ部７２ａ，７２ｂ，７２ｃに、−Ｘ方向から中心軸７２ｏに沿って、円柱状の外形をもつポンプ３２が挿入されて保持される（ポンプ組立工程）。このポンプ取付工程により、ポンプ３２の＋Ｘ側の外端面から、ポンプ駆動用電力を受けるための２つの端子３２ａ，３２ｂが突出した状態になる。また、ポンプ３２の−Ｘ側の外端面からは、比較的短いエア吐出管（図示せず）が突出した状態となる。
【００４３】
次に、図４中に示すボックス部７３に、図５に示すように、＋Ｚ方向から、弁３３が嵌め込んで取り付けられる（弁取付工程）。図５中に示すように、この弁取付工程により、弁３３の＋Ｘ側の外端面から、弁駆動用の電力を受けるための２つの端子３３ａ，３３ｂが突出した状態になる。また、弁３３の−Ｘ側の外端面からは、比較的短いエア取込管３３ｃが突出した状態となる。
【００４４】
次に、図６に示すように、ポンプ３２と弁３３とに対して、−Ｘ方向から、屈曲した形状をもつゴム製のジョイントチューブ３７が取り付けられる（ジョイントチューブ取付工程）。具体的には、ジョイントチューブ３７の一端の開口３７ａをポンプ３２のエア吐出管に嵌め込むとともに、ジョイントチューブ３７の他端の開口３７ｃを弁３３のエア取込管３３ｃに嵌め込んで取り付ける。このジョイントチューブ３７は、開口３７ａ，３７ｃに加えて、上側（＋Ｚ側）に開いた圧力センサ用の開口３７ｂと、手前側（−Ｙ側）に開いたエアチューブ３９（図１参照）用の開口３７ｄとを有している。
【００４５】
次に、図７に示すように、ジョイント基板４１が、ＹＺ平面に沿った姿勢で、＋Ｘ方向から嵌め込まれる（ジョイント基板取付工程）。ジョイント基板４１は、電池ボックス７１に収容される電池からの電力をポンプ３２および弁３３へ供給するための配線（図示せず）を有する部品である。具体的には、ジョイント基板４１は、電池端子５３Ａ，５３Ｅと、ポンプ３２の２つの端子３２ａ，３２ｂと、弁３３の２つの端子３３ａ，３３ｂと、モジュールベース７０の十字リブ７４ａ，７４ｂとに、それぞれ対応した貫通孔を有している。電池端子５３Ａ，５３Ｅと、ポンプ３２の２つの端子３２ａ，３２ｂと、弁３３の２つの端子３３ａ，３３ｂと、モジュールベース７０の十字リブ７４ａ，７４ｂとは、それぞれその対応した貫通孔に嵌め込まれる。電池端子５３Ａ，５３Ｅと、ポンプ３２の２つの端子３２ａ，３２ｂと、弁３３の２つの端子３３ａ，３３ｂとは、図８中に示すように、それぞれジョイント基板４１に対して半田付けされる。これにより、ジョイント基板４１を介して、電池ボックス７１に収容される電池からの電力をポンプ３２および弁３３へ供給することが可能になる。また、ジョイント基板４１が、ポンプ３２および弁３３と電池ボックス７１に収容される電池とを接続するので、別途のジャンパー線を用いてポンプ３２および弁３３と電池とをそれぞれ接続する必要が無い。したがって、組立作業が容易になる。
【００４６】
なお、図７中に示す弁３３の上縁３３ｅ、ジョイントチューブ３７の上部３７ｅ、モジュールベース７０の一部（ポンプホルダ部７２ｂの−Ｙ側に沿った部分）７２ｅとは、次に述べるメイン基板を載置できるように、ＸＹ平面に沿った同一面内に存在する。
【００４７】
次に、図８に示すように、圧力センサ３１やＣＰＵ１００（図１参照）などの制御系を搭載した制御基板としてのメイン基板４０が、ＸＹ平面に沿った姿勢で、＋Ｚ方向から嵌め込まれる（メイン基板嵌込工程）。具体的には、メイン基板４０は、図８中に示すように、モジュールベース７０の十字リブ７５ａおよびボス７５ｂ、ジョイント基板４１の上部４１ａとに、それぞれ対応した貫通孔を有している。モジュールベース７０の十字リブ７５ａおよびボス７５ｂ、ジョイント基板４１の上部４１ａとは、それぞれその対応した貫通孔に嵌め込まれる。また、メイン基板４０の下面のうち圧力センサ３１に対応する部分から、比較的短いエア配管（図示せず）が下側（−Ｚ側）へ突出している。そのエア配管がジョイントチューブ３７の開口３７ｂに嵌め込まれる。
【００４８】
次に、図９に示すように、メイン基板４０から上側（＋Ｚ側）へ突出したボス７５ｂの先端が、図示しない熱かしめ治具を用いて熱かしめされる（熱かしめ工程）。具体的には、ボス７５ｂの先端を、この例では百数十度の温度で数秒間加熱する。これにより、ボス７５ｂの先端（頭部）を熱溶融して、メイン基板４０の対応する貫通孔の径よりも大きい径をもつ半球状にする。これにより、円筒の先端に半球状の頭部をもつピン部７５ｂ′を形成して、このピン部７５ｂ′によってメイン基板４０をモジュールベース７０に取り付ける。このように、メイン基板４０を熱かしめによってモジュールベース７０に取り付ける場合、ねじなどの別途の部材を用いる必要が無い。したがって、この血圧計１を、低コストで製造できる。なお、上記のようなピン部を２本以上設けて、熱かしめ箇所を２箇所以上にしてもよい。
【００４９】
次に、図１０に示すように、メイン基板４０とジョイント基板４１の上部４１ａとが半田付けされて、メイン基板４０とジョイント基板４１との間の必要な電気的接続４２，４２，…が行われる（井桁ハンダ工程）。
【００５０】
このようにして、モジュールベース７０に、電池端子５３Ａ，５３Ｂ，５３Ｃ，５３Ｄ，５３Ｅ、ポンプ３２、弁３３、ジョイントチューブ３７、ジョイント基板４１、および、制御系を含むメイン基板４０が取り付けられて、搭載される。
【００５１】
このようにモジュールベース７０に主要部品を搭載した状態（図１０の状態）の仕掛品を、「モジュール」８０と呼ぶ。このモジュール８０の状態で、血圧測定動作などを正常に行えるか否かの検査工程（モジュール検査工程）が行われる。
【００５２】
上述のように、メイン基板４０は、モジュールベース７０に対して、ピン部７５ｂの先端を熱溶融した熱かしめによって取り付けられている。ピン部７５ｂは元々円筒状であるから、熱かしめされたピン部７５ｂは、このピン部７５ｂの中心に沿って延び、先端（熱溶融された頭部）に達する孔を有する。その場合、この血圧計１の組立中にメイン基板４０の不具合が生じたとき（上記モジュール検査工程によって判明する）や販売後にメイン基板４０の不具合が生じたとき（ユーザの使用中に判明する）、メイン基板４０を交換する作業が容易になる。すなわち、メイン基板４０を交換する場合、まず、ピン部７５ｂの熱溶融された頭部をニッパなどで切断して除去する。すると、ピン部７５ｂの孔が外から見える状態になる。次に、不具合のあるメイン基板４０に代えて、モジュールベース７０上に新たなメイン基板４０を置く。そして、メイン基板４０の上方（モジュールベース７０とは反対の側）から、別途用意したねじを用いて、そのねじがピン部７５ｂの孔にねじ込まれる態様で、モジュールベース７０に対してその新たなメイン基板４０を取り付ける。このようにして、メイン基板４０を交換する作業を容易に行うことができる。
【００５３】
上記モジュール８０がモジュール検査を合格した場合、図１１に示すように、そのモジュール８０が、グランドハウジング１１の内部に組み入れられる（モジュール組入工程）。より詳しくは、モジュール８０は、底板１１ｂ上に係合によって取り付けられる。
【００５４】
具体的には、図１９（ａ）に示すように、＋Ｘ方向から見たとき、グランドハウジング１１の底板１１ｂにモジュールベース７０を接近させる。この状態で、モジュールベース７０が図１９（ａ）において斜め右下へ、つまり、矢印Ａ１，Ａ２に示すように少し−Ｚ方向への移動を含めて概ね＋Ｙ方向へ、底板１１ｂに対して相対的に移動される。
【００５５】
ここで、図１９（ａ）中に示すように、グランドハウジング１１は、底板１１ｂの内面から立ち上がり、かつ内面に沿う向き（−Ｙ側）に曲がった形状をもつ係合爪１１ｅ，１１ｆを有している。図１６中に示したように、グランドハウジング１１は、＋Ｘ側に配置された係合爪１１ｅ，１１ｆに加えて、−Ｘ側にも同様の形状をもつ係合爪１１ｇ，１１ｈを有している。さらに、グランドハウジング１１は、底板１１ｂの内面上で係合爪１１ｆの受け部（底板１１ｂの内面と、底板１１ｂの内面から立ち上がった部分ｓと、−Ｙ側に曲がった部分ｂとで作られる）に対向して設けられた山状のスロープ部１１ｐを有している。
【００５６】
一方、モジュールベース７０は、図２中に示すように、電池ボックス７１の周りで底板１１ｂに対向する側（−Ｚ側）に、グランドハウジング１１の係合爪１１ｅ，１１ｆ，１１ｇ，１１ｈの受け部に嵌まるべき第１の突起部としての突起７６ｅ，７６ｆ，７６ｇ，７６ｈを有している。したがって、モジュールベース７０が底板１１ｂに対して上述のように相対的に移動されると、図１９（ｂ）中に矢印Ｂ１，Ｂ２に示すように、モジュールベース７０の突起７６ｅ，７６ｆ，７６ｇ，７６ｈがグランドハウジング１１の係合爪１１ｅ，１１ｆ，１１ｇ，１１ｈの受け部に嵌まる。また、モジュールベース７０の底板１１ｂに対向する側（−Ｚ側）に、第２の突起部としての突起７８が設けられている。この突起７８は、突起７６ｅ，７６ｆ，７６ｇ，７６ｈが係合爪１１ｅ，１１ｆ，１１ｇ，１１ｈの受け部に嵌められたとき上記スロープ部１１ｐに係合して、突起７６ｅ，７６ｆ，７６ｇ，７６ｈが係合爪１１ｅ，１１ｆ，１１ｇ，１１ｈの受け部から離脱するのを止める。したがって、上記モジュール８０をグランドハウジング１１に対して、ねじなどの別途の部材を用いて取り付ける場合に比して、容易に取り付けることができる。
【００５７】
図１７は、この状態のグランドハウジング１１を下方から見たところを示している。グランドハウジング１１の内部から底板１１ｂに対して、電池端子５３Ａ，５３Ｂ，５３Ｃ，５３Ｄ，５３Ｅを搭載したモジュールベース７０が取り付けられている。これにより、電池ボックス７１が構成されている。
【００５８】
このような構成によれば、グランドハウジング１１とモジュールベース７０とは、互いに別の金型を用いて別々に成型され得る。したがって、グランドハウジング１１とモジュールベース７０それぞれの金型製作や成型条件の調整が簡単になる。また、成型時の樹脂流動面の問題も容易に回避される。
【００５９】
図１９（ｂ）（および図２）中に示すように、モジュールベース７０は、突起７８の上方に相当する部位に摘まみ部７７を有する。この摘まみ部７７が上方へ引っ張られたとき、突起７８が上記スロープ部１１ｐを乗り越えて、突起７６ｅ，７６ｆ，７６ｇ，７６ｈが係合爪１１ｅ，１１ｆ，１１ｇ，１１ｈの受け部から離脱するのが許容される。したがって、この血圧計１の組立中や販売後にモジュールベース７０やそれに搭載された部品に不具合が生じたとき、モジュールベース７０やそれに搭載された部品を交換する作業が容易になる。
【００６０】
なお、図１１中に示すように、グランドハウジング１１は、−Ｘ側の側面に、エアコネクタ３８を取り付けるための穴１１ｕを有している。この段階で、既述のジョイントチューブ３７の開口３７ｄにエアチューブ３９（図１参照）の一端が取り付けられるとともに、グランドハウジング１１の穴１１ｕに、エアチューブ３９の他端（エアコネクタ３８）が取り付けられているのが望ましい。図１１〜図１４では、簡単のため、エアチューブ３９の図示が省略されている。
【００６１】
次に、図１２に示すように、グランドハウジング１１の内部に、より詳しくは電池ボックス７１の上方に相当する位置に、操作部５２をなす操作基板４３が取り付けられる（操作基板取付工程）。この操作基板４３は、メイン基板４０に対してヒートシールコネクタ（図示せず）によって電気的に接続される。それとともに、グランドハウジング１１の背面に設けられた穴１１ｘに対応して、ＤＣジャック４４が取り付けられる。このＤＣジャック４４は、外部からＤＣ（直流）電圧の供給を受ける場合に使用される。
【００６２】
次に、図１３に示すように、グランドハウジング１１の内部に、より詳しくはモジュール８０の上方に相当する位置に、表示器５０を保持するためのＬＣＤホルダ４５が取り付けられる（ＬＣＤホルダ取付工程）。
【００６３】
次に、図１４に示すように、ＬＣＤホルダ４５に表示器５０が取り付けられる（ＬＣＤ取付工程）。この後、図１５に示すように、グランドハウジング１１の上縁１１ａに沿って、フロントハウジング１２が取り付けられる（フロントハウジング取付工程）。最後に、図１８に示すように、グランドハウジング１１の底板１１ｂのくり抜き１１ｏが外部から電池カバー１３によって覆われる（組立完了）。
【００６４】
以上に述べたように、この血圧計１は、概ね、モジュールベース７０に主要部品を取り付けてモジュール８０を構成し、そのモジュール８０をグランドハウジング１１に組み入れることによって組み立てられている。したがって、グランドハウジング１１自体に対する部品の取付回数が低減され、組立作業が容易になる。具体的には、リード線やジャンパー線などの配線を極力使用しない構成としているので、配線の取り回し作業が不要となる。また、部品を組み付ける際に、リード線やジャンパー線などの配線がその部品の下に噛み込まれるなどの不具合発生が軽減され、好都合である。これらの結果、この血圧計１は、簡単かつ低コストで組み立てられる。また、組立を自動化するのが容易になる（組立の自動化）。また、品質も向上する。
【００６５】
本体機種のバリエーションとして、グランドハウジング１１やフロントハウジング１２は様々に変形され得る。例えば、グランドハウジング１１に、本体外部との通信のためのＵＳＢ（ユニバーサル・シリアル・バス）端子を設けてもよい。また、フロントハウジング１２に、ユーザを選択するためのユーザ切替スイッチを設けてもよい。これらの異なる外観ハウジング１１，１２に対して、モジュール８０は共通に用いられる（モジュール共用化）。
【００６６】
上記モジュール検査工程は、本体機種のバリエーションによらず、１種類の検査工程で済ませることができる（検査工程の効率化）。また、上記モジュール検査を実施しているので、組立完了後には検査工程を省略できる。ただし、組立完了後の検査工程を実施してもよい。
【００６７】
以上の実施形態は、この考案の電子血圧計の例示に過ぎず、この考案の範囲から離れることなく、様々な変形が可能である。
【符号の説明】
【００６８】
１  血圧計
１０  本体
２０  カフ
５３Ａ，５３Ｂ，５３Ｃ，５３Ｄ，５３Ｅ  電池端子
７０  モジュールベース
７１  電池ボックス
８０  モジュール
【図１】
0003184624.tif 000003
【図２】
0003184624.tif 000004
【図３】
0003184624.tif 000005
【図４】
0003184624.tif 000006
【図５】
0003184624.tif 000007
【図６】
0003184624.tif 000008
【図７】
0003184624.tif 000009
【図８】
0003184624.tif 000010
【図９】
0003184624.tif 000011
【図１０】
0003184624.tif 000012
【図１１】
0003184624.tif 000013
【図１２】
0003184624.tif 000014
【図１３】
0003184624.tif 000015
【図１４】
0003184624.tif 000016
【図１５】
0003184624.tif 000017
【図１６】
0003184624.tif 000018
【図１７】
0003184624.tif 000019
【図１８】
0003184624.tif 000020
【図１９】
0003184624.tif 000021